(57)【要約】  【課題】  机と書棚部から構成されるユニットデスクに関するもので、従来の問題点に鑑みて、簡単な構造で、機能性に優れた使い勝手のよいユニットデスクを提供することを課題とする。【解決手段】  机と、書棚部からなるユニットデスクにおいて、書棚部は机の高さと同高さで、机の奥行きとほぼ同奥行きの下書棚と、下書棚と同奥行きで同巾の上書棚よりなり、上書棚は、巾方向で２分割された右上書棚と左上書棚よりなり、それぞれが下書棚に対して着脱自在に連結されると共に、上書棚と下書棚は、上書棚上背板と上書棚下背板と下書棚上背板と下書棚下背板を有し、それぞれの背板は、それぞれの左右端部側に取り付け位置が選択可能に構成する。【選択図】  図９
2015223359.tif 000002
【特許請求の範囲】
【請求項１】
机と、書棚部からなるユニットデスクにおいて、書棚部は机の高さと同高さで机の奥行きとほぼ同奥行きの下書棚と、下書棚と同奥行きで同巾の上書棚よりなり、上書棚は、巾方向で２分割された右上書棚と左上書棚よりなり、それぞれが下書棚に対して着脱自在に連結されると共に、上書棚は、上書棚上背板と上書棚下背板を有し、下書棚は、下書棚上背板と下書棚下背板を有し、上書棚と下書棚のそれぞれの前記背板は、それぞれの左右端部側に取り付け位置が選択可能に構成されていることを特徴とするユニットデスク。
【請求項２】
机は左右脚体が着脱自在に構成され、下書棚は、一方側の脚体が取り外された机の天板端部と連結される天板受け体を有することを特徴とする請求項１に記載のユニットデスク。
【請求項３】
天板受け体は、下書棚から巾方向に出入自在に構成されていることを特徴とする請求項２に記載のユニットデスク。
【発明の詳細な説明】
【技術分野】
【０００１】
本発明は、机と書棚部から構成されるユニットデスクに関するものである。
【背景技術】
【０００２】
机と書棚部からなるユニットデスクの書棚部における下書棚として、一対の側板と、両側板の上端部に架け渡して設けられた天板と、両側板の下端部に架け渡して設けられた底棚板と、両側板の高さ方向中間位置に架け渡して設けられた中棚板とを有し、前記底棚板は、両側板の下端部から取り外し可能であり、前記中棚板は、両側板の下端部から取り外した前記底棚板をその下面に重ねて取り付け可能としたものが提供されている。（特許文献１参照）
【０００３】
上記のように構成された下書棚は、下書棚の天板面（天板の上面）と同じ高さの天板面を有する机と並べて使用することにより、机の天板面を下書棚の天板面によって拡張し、広い天板面を確保することができる。
又、下書棚を上下２段に重ねて書棚部として使用する場合においても、上書棚の両側板の下端部から底棚板を取り外せば、下書棚の天板面が露出し、机の天板面と面一になるので、机の天板面を下書棚の天板面によって拡張することができる。
取り外した底棚板は、上段の書棚の中棚板の下面に重ねて取り付けることにより、上書棚に収容できる。
【０００４】
上下２段に積重ねた書棚部を挟んで左右両側に机を配置して、使用する場合、上書棚は、取り外した底棚板のストッパーが互い違いになるよう、中棚板の下面に取り付けることで、左右のユーザーが中棚板で仕切られた上下の空間を別個に使用することができるが、下書棚は一方側からの使用しかできない。
さらに、机１台と書棚２台（１台を下書棚として使用し、他の１台を上書棚として使用する場合、いわゆる書棚部として使用する場合、）でユニットデスクを構成する場合であっても、机の天板上の正面側と側方側の両方に書棚を配して使用することができない（いずれか一方側に配設した状態でしか使用することができない）ので、ユーザーの数々の要望に対応できず、使い勝手が悪かった。
【０００５】
一方、上下２段に積重ねた書棚(書棚部)を挟んで左右両側に机（机の天板）を配置して、使用する場合、書棚の適所に形成した両側開口となした取付部内で、仕切板を巾方向に移動可能に取り付けたものが提供されている。（特許文献２参照）
この場合、上下２段の書棚はそれぞれ、左右両側からの使用は可能となるが、机部分と書棚部をそれぞれ独立した状態で使用することができない。
又、上記同様、上書棚を机の天板上の正面側と側方側の両方に配設して使い勝手の向上を図ることもできなかった。
【先行技術文献】
【特許文献】
【０００６】
【特許文献１】特開２０１４−４１４７号公報
【特許文献２】実開昭５８−２９３３５号公報
【発明の概要】
【発明が解決しようとする課題】
【０００７】
本発明は、従来の問題点に鑑みて、簡単な構造で、機能性に優れた使い勝手のよいユニットデスクを提供することを課題とする。
【課題を解決するための手段】
【０００８】
そこで、上記課題を解決する為、本発明が第１の手段として構成したところは、机と、書棚部からなるユニットデスクにおいて、書棚部は机の高さと同高さで机の奥行きとほぼ同奥行きの下書棚と、下書棚と同奥行きで同巾の上書棚よりなり、上書棚は、巾方向で２分割された右上書棚と左上書棚よりなり、それぞれが下書棚に対して着脱自在に連結されると共に、上書棚は、上書棚上背板と上書棚下背板を有し、下書棚は、下書棚上背板と下書棚下背板を有し、上書棚と下書棚のそれぞれの前記背板は、それぞれの左右端部側に取り付け位置が選択可能に構成されているものである。
【０００９】
次に、上記課題を解決する為、本発明が第２の手段として構成したところは、上記第１の手段に加え、机は左右脚体が着脱自在に構成され、下書棚は、一方側の脚体が取り外された机の天板端部と連結される天板受け体を有するものである。
【００１０】
次に、上記課題を解決する為、本発明が第３の手段として構成したところは、上記第２の手段に加え、天板受け体は、下書棚から机の巾方向に出入自在に構成されているものである。
【発明の効果】
【００１１】
請求項１に記載の発明によると、上書棚は、巾方向で２分割され、それぞれが下書棚に対して着脱自在に連結されると共に、同一仕様に構成された右上書棚と左上書棚より構成されているので、一方（例えば  左上棚）を、下書棚より取り外し、机の天板上の正面側に設置すれば、机の天板面積を拡張できると共に、正面側にも書棚を配設できるので、使い勝手が向上する。
【００１２】
又、右上書棚と左上書棚は同一仕様に構成され、右上書棚は右上書棚下背板、左上書棚は左上書棚下背板、下書棚は下書棚上背板と下書棚下背板を有し、それぞれの背板は、それぞれの左右端部側に取り付け位置が選択可能に構成されているので、上下書棚（書棚部）を挟んで左右両側に机（机の天板）を配置して使用する場合、各背板の取り付け位置を選択することで、左右のユーザーの使用空間をほぼ均等な広さにすることができる。
【００１３】
請求項２に記載の発明によると、上記の効果に加え、机は左右脚体が着脱自在に構成され、下書棚は、一方側の脚体が取り外された机の天板端部と連結される天板受け体を有するので、机の天板端部と天板受け体を連結して使用すれば、下書棚の使用側部分を塞ぐものが無く、使い勝手が向上する。
【００１４】
請求項３に記載の発明によると、上記の効果に加え、天板受け体は、下書棚から机の巾方向に出入自在に構成されているので、机の天板を連結しないで下書棚単体で使用するときは、下書棚内に収納しておけば、邪魔にならず、意匠を損なうこともない。
【図面の簡単な説明】
【００１５】
【図１】ユニットデスクの机の正面図。
【図２】ユニットデスクの机の底面図。
【図３】ユニットデスクの机の左側面図。
【図４】図１のＡ−Ａ線断面図。
【図５】ユニットデスクの書棚部の左側面図。
【図６】ユニットデスクの書棚部の正面図。
【図７】図４のＢ−Ｂ線断面図。
【図８】ユニットデスクの左側面図。
【図９】図８のＣ−Ｃ線断面図。
【図１０】図９のＤ部拡大図。
【図１１】上書棚の他の使用例１を示す説明図。
【図１２】上書棚の他の使用例２を示す説明図。
【図１３】上書棚の他の使用例３を示す説明図。
【図１４】上書棚の他の使用例４を示す説明図。
【図１５】上書棚の他の使用例５を示す説明図。
【発明を実施するための最良の形態】
【００１６】
机と、書棚部からなるユニットデスクにおいて、書棚部は机の高さと同高さで、机の奥行きとほぼ同奥行きの下書棚と、下書棚と同奥行きで同巾の上書棚よりなり、上書棚は、巾方向で２分割され、同一仕様に構成された右上書棚と左上書棚よりなり、それぞれが下書棚に対して着脱自在に連結されると共に、右上書棚と左上書棚と下書棚は、右上書棚下背板と左上書棚下背板と下書棚上背板と下書棚下背板を有し、それぞれの背板は、それぞれの左右端部側に取り付け位置が選択可能に構成され、机は左右脚体が着脱自在で、下書棚は、一方側の脚体が取り外された机の天板端部と連結される天板受け体を有し、天板受け体は、下書棚から机の巾方向に出入自在に構成されているものである
【実施例】
【００１７】
以下、第１実施例を添付図面に基づいて詳述する。
図８において、符号１００は、机１と書棚部６０からなるユニットデスクを示している。
机１は図１〜図４に示す如く、天板１１と、天板１１下面に連結配設された引出し枠体２と、引出し枠体２の左右端面に着脱自在に連結された左右脚体３、３と、左右脚体３、３の後端部下方を、連結部材を介して着脱自在に連結するための後連結板３０より構成されている。そして、引出し枠体２は左右引出し２１、２１を出入自在に保持している。
【００１８】
書棚部６０は図５〜図７に示す如く、下書棚６と、下書棚６に積み重ねられた上書棚７より構成され、上書棚７は、巾方向で２分割され、対向して同形に構成された右上書棚７１と左上書棚７２よりなり、それぞれが下書棚６に対して着脱自在に連結されている。
【００１９】
机１の天板１１は、長方形板体で、上書棚７の右上書棚７１、あるいは、左上書棚７２
を天板１１と連結するための連結金具が突出しないよう、左右端部の後端部に切り欠き凹部１１０（図３に示す。）が形成されている。
【００２０】
引出し枠体２は、天板１１の左右端部より、左右脚体３、３の厚みの内側に位置する巾位置に配設されて天板１１裏面に連結され、前後方向で、左右脚体３、３の奥行き寸法より小さ目の左右枠材２２、２２と、左右枠材２２、２２の後端部を連結する後枠材２３と、左右枠材２２、２２間のほぼ中間部で後枠材２３と後端部が連結された中央枠材２４と、左右枠材２２、２２及び中央枠材２４の下面で、奥行き方向中央部やや前側に配設された巾広の底枠材２５より構成され、左右枠材２２、２２、中央枠材２４の側面側に設けられたスライドレール２７・・・・を介して、左右引出し２１、２１が出入自在に保持されている。
【００２１】
そして、左右枠材２２、２２の外側面の前後端部側に、左右脚体３、３を着脱自在に連結するための連結用螺孔２２１・・・（図２に示す。）が設けられ、後枠材２３の左右端面には、連結金具にて左右脚体３、３を着脱自在に連結するための連結金具取付孔２３１・・・（図２に示す。）が形成され、後枠材２３の左右方向で、取り外された脚体３を連結、保持しておくため連結用螺孔２２１・・・間の寸法に一致する脚体仮連結螺孔２３２、２３２が形成されている。
左右引出し２１、２１は  上面が開口する左右収納体２１１、２１１と、左右収納体２１１、２１１の前面側に連結された左右正面板２１２、２１２より構成されている。
【００２２】
左右の脚体３、３は対向した同形に形成されているので、一方側についてのみ説明する。
脚体３は、天板１１の前後端部下面に位置する前後脚杆３１、３１と、前後脚杆３１、３１の上端部間に配設されて上繋ぎ材３２と、上繋ぎ材３２の下側に配設された中繋ぎ板３３より構成されている。
【００２３】
そして、上記引出し枠体２の左右枠材２２、２２に形成された連結用螺孔２２１・・・
に対応して脚体連結孔３２１、３１１が、上繋ぎ材３２の後部と前脚杆３１の上端部に形成され、後枠材２３の連結金具取付孔２３１に対応して、脚体連結孔３２１の後側に連結金具連結孔３２２が形成され、後脚杆３１には、後連結板３０を連結するための後連結板連結孔３１２、３１２が形成されている。
又、後連結板３０には、取り外された脚体３を連結、保持しておくため後連結板３０の巾方向中央部に形成された脚体保持用螺孔３００（図１、図２に示す。）に対応して、中繋ぎ板３３の奥行き方向中央部下端に脚体連結孔３３１が形成されている。
【００２４】
書棚部６０の下書棚６（図６の側を便宜的に正面側とみなして説明）は、机１の天板１１と同等の奥行き寸法（前後寸法）で巾寸法（左右の巾寸法）は、奥行き寸法のほぼ２分の１をなし天板１１と同等厚みに形成された長方形板状の下書棚天板６１と、下書棚天板６１の前後端部下面に配設された下書棚前後側板６２、６２と、下書棚前後側板６２、６２間に配設された下書棚台板６３と、天板１１の下面で下書棚６から机１の巾方向に出入自在に設けられた左右天板受け体６４、６４と、下書棚前後側板６２、６２間の高さ方向略中央部で所望高さに配設可能な自在棚板６５と、自在棚板６５の上方と下方に配設される、前後端面に連結用螺孔を上下に有する下書棚上背板６６と下書棚下背板６７より構成されている。
【００２５】
そして、下書棚天板６１の前後端部で、巾方向中央部から左右方向に同等寸法離間した位置に上書棚７（右上書棚７１、左上書棚７２）を着脱自在に連結するための連結金具が着脱自在に取付けられる左右上書棚連結金具取付用螺孔６１３・・・、６１４・・・が設けられ、下書棚前後側板６２、６２の上部左右端部と下部左右端部には、下書棚上下背板連結孔６６１・・・、６７１・・・が形成されている。
すなわち、書棚部６０を挟んで左右両側に机１、１を配置して使用する場合、例えば、下書棚上背板６６を下書棚上背板連結孔６６１・・・の左端部側の位置で連結し、書棚下背板６７を下書棚下背板連結孔６７１・・・の右端部側の位置に選択して連結すれば、左右のユーザーがそれぞれの空間を公平な広さで使用することができる。
【００２６】
左右天板受け体６４、６４は対向した同形に形成されているので、一方側についてのみ説明する。
左天板受け体６４は、図１０に示すように引き出した状態で、上面に机１の天板１１の右端部下面が載置され、下書棚前後側板６２、６２間に出入可能な奥行き寸法で、下書棚天板６１の半分弱程度の巾寸法に形成された長方形板体の左載置用支持板６４１と、左載置用支持板６４１の前後端部下面に巾方向に渡って配設された前後摺動用支持板６４２、６４２より構成されている。
【００２７】
そして、下書棚天板６１の前後方向の中央部の左右端部側下面に、左載置用支持板６４１が下書棚天板６１の下面に収納された状態（図７に示す状態）を保持すると共に、左載置用支持板６４１の左端面が下書棚天板６１より突出して、机１の天板１１を載置可能とした状態（図９に示す状態）を維持するための保持用螺孔６１１が形成されている。
一方、左載置用支持板６４１の前後方向中央部には前記保持用螺孔６１１に対応して、載置された天板１１の裏面に形成された支持板連結用螺孔１１１に螺合する連結ネジ６４３が挿通する天板連結用挿通孔６４４と、天板１１が連結された左載置用支持板６４１を下書棚天板６１の下面に強固に連結するため、前記保持用螺孔６１１に螺合する連結ネジ６４５が挿通する支持板連結用挿通孔６４６が形成されている。
尚、符号６１２は、机１と書棚部６０を単独で使用した時、机１の天板１１と左載置支持板６４１の連結ネジ６４３を保管しておくための保管用螺孔を示している。
【００２８】
一方、前後摺動支持板６４２、６４２は対向した同形に形成されているので一方側についてのみ説明する。
後摺動支持板６４２は、奥行き方向に下書棚前後側板６２、６２とほぼ同等の厚みを有し、下書棚天板６１の３分の１程度の巾寸法で、巾方向に所定寸法長さの長孔状の摺動孔６４７が上下方向略中央部に設けられ、摺動孔６４７を挿通して、左載置用支持板６４１を摺動可能に保持する摺動用保持金具６４８が、下書棚後側板６２の内面に連結されている。
【００２９】
上書棚７は、巾方向で２分割され、対向した同形に構成された右上書棚７１と左上書棚７２よりなり、それぞれが下書棚６に対して着脱自在に連結されている。
左上書棚７２は、下書棚６の下書棚前後側板６２、６２の半分の巾寸法で、奥行き方向に同等の厚みを有し、下書棚６の下書棚前後側板６２、６２と同寸法離間し、下書棚前後側板６２、６２より２分の１強の高さ寸法を有する左上書棚前後側板７２１、７２１と、左上書棚前後側板７２１、７２１の上端間に配設された左上書棚天板７２２と、高さ方向中央やや上部で左上書棚前後側板７２１、７２１間に配設された左上書棚固定棚板７２３と、左上書棚前後側板７２１、７２１間の下部左右端部側に選択的に着脱自在に連結される上書棚下背板７０１と、左上書棚前後側板７２１、７２１間の上部左端部側に着脱自在に連結される上書棚上背板７０２より構成されている。
尚、実施例では、上書棚下背板７０１と上書棚上背板７０２は、右上書棚７１と左上書棚７２で共用して使用するため、右上書棚７１で上書棚下背板７０１と上書棚上背板７０２を使用すると、左上書棚７２では使用できないこととなる（図７の状態）。
【００３０】
左上書棚前後側板７２１、７２１の下端面には、前記下書棚天板６１の左上書棚連結金具取付用螺孔６１３・・・に対応して、上下方向に挿通し内面側から連結操作が可能な左上書棚連結用前後操作孔７２５、７２５（図１０に示す。）が形成され、上書棚下背板７０１の前後端面に設けられた上書棚下背板連結用螺孔（図示せず。）に対応して、左上書棚前後側板７２１、７２１の下部左右端部に、左上書棚下背板左右連結孔７２６・・・が形成され、上部左端部に、上書棚上背板７０２の前後端面に設けられた上書棚上背板連結用螺孔（図示せず。）に対応して、上部左側端部に、左上書棚上背板連結孔７２７が形成されている。
【００３１】
右上書棚７１は左上書棚７２に対向した同形に形成され、右上書棚前後側板７１１、７１１と、右上書棚天板７１２と、右上書棚固定棚板７１３より構成され、右上書棚前後側板７１１、７１１には右上書棚連結用前後操作孔７１５、７１５が形成され、左上書棚下背板７０１の前後端面に設けられた左上書棚上背板連結用螺孔（図示せず。）に対応して、右上書棚前後側板７１１、７１１の下部左右端部に右上書棚下背板左右連結孔７１６・・・が形成され、上書棚上背板７０２の前後端面に設けられた上書棚上背板連結用螺孔（図示せず。）に対応して、上部右側端部に、右上書棚上背板連結孔７１７が形成されている。
【００３２】
本発明は上記の如く構成され、机１と書棚部６０を、それぞれ独立した離れた位置で使用する場合、あるいは、机１に書棚部６０を単に並置して使用する場合、更には、机１に下書棚６だけを並置し、下書棚６との連結状態を外した左上書棚７２を机１の天板１１の左側後部に所定の連結金具で天板１１と連結して（この時、天板１１の左右端部の後端部に形成した切り欠き凹部１１０利用する。）使用する場合（図１１に示す状態）、あるいは、机１の天板１１上の左上書棚７２を、天板１１の後部右側に並設した状態で所定の連結金具で天板１１と連結して、左右上書棚７２、７１を左右に並べて使用する場合（図１１に仮想線（二点鎖線）で示す状態）は、上書棚下背板７０１、上書棚上背板７０２は、使用勝手のよい位置（書籍等が後方に落下しないよう）で、左右上書棚上背板連結孔７２７、７１７、左右上書棚下背板左右連結孔７２６・・・、７１６・・・を介して右上書棚前後側板７１１、７１１間に連結して使用される。
【００３３】
一方、何れか一方の脚体３を取外した机１の天板１１と書棚部６０（下書棚６）を連結して使用する場合（便宜上、下書棚６の左側に天板１１を連結して使用する場合について説明する。図１２〜図１４は、下書棚６の書棚天板６１の保持用螺孔６１１、天板連結用挿通孔６４４、及び、保管用螺孔６１２、支持板連結用挿通孔６４６から連結ネジ６４３、６４５を取り外し、摺動用保持金具６４８を緩めて、左天板受け体６４を引き出し、支持板連結用挿通孔６４６と、保持用螺孔６１１を一致させ、連結ネジ６４５で、書棚天板６１と左天板受け板６４を連結し、摺動用保持金具６４８を締め付けて、左天板受け体６４の左側端部が外方に突出した状態で、下書棚６に左天板受け体６４を強固に固定する。
【００３４】
次に、机１の右側の脚体３と、引出し枠体２と、後連結板３０の連結状態を外し、取り外した脚体３を引出し枠体２の後枠材２３の後面と後連結板３０の前面間に挟持し、脚体連結孔３２１、３１１と後枠材２３の脚体仮連結螺孔２３２・・・、後連結板３０の脚体保持用螺孔３００と脚体連結孔３３１を一致させ連結ネジにて、脚体３を引出し枠体２と、後連結板３０に連結する。
【００３５】
そして、上記机１の天板１１の右側端部下面を、前記下書棚６から左方向に突出した左天板受け体６４の左側端部上面に載置し、天板支持用螺孔１１１と天板連結用挿通孔６４４を一致させ、連結ネジ６４３で、机１の天板１１と下書棚６の左天板受け体６４を連結する。
このとき、机１は書棚部６０の左側にのみ位置しているので、下書棚６の下書棚上下背板６６、６７は、右側端部に形成された下書棚上下背板連結孔６６１、６７１の位置に取り付けられ、上書棚７の上書棚上下背板７０１、７０１は、右上書棚上背板連結孔７１７、右上書棚下背板右連結孔７１６の位置に取り付けられて使用される（図９に示す状態）。
【００３６】
一方、上記使用状態から、左上書棚７２を下書棚６より取り外して、天板１１の左側後部に、壁に沿って設置して使用する場合（図１２に示す状態）、あるいは、下書棚６より左右書棚７２、７１を取り外して、天板１１と下書棚６上の後部に左右に壁に沿って設置して使用する場合（図１３に示す状態、）、さらには、図１３に示す左上書棚７２を天板１１の左側端部に、壁と交差する方向に配設して使用する場合（図１４に示す状態）など、上右書棚７１と上左書棚７２の使用位置は使い勝手に応じて数々考えられる。
【００３７】
この時、上書棚上背板７０２、上書棚下背板７０１の取り付け位置は使用者の選択に任せられるが、机１が壁に沿っておかれ、使用者が壁に向かって使用する場合、壁に沿っておかれる左右上書棚７２、７１より、壁と交差する方向に設置される左右上書棚７２、７１に上書棚上背板７０２、上書棚下背板７０１を取付ける方が、書籍の外方への落下を効率的に防ぐことができる。
【００３８】
さらに、別売されている机１と書棚部６０を購入して、１台のユニットデスクとして使用している状態で、後年、机１のみを購入して書棚部６０共用する場合、あるいは、２台の机１で、書棚部６０共用する場合、前述した左天板受け体６４の場合と同様にして、右天板受け体６４の右側端部が外方に突出した状態で、下書棚６に右天板受け体６４を強固に固定する。
【００３９】
次に、取り外した左側の脚体３を引出し枠体２と、後連結板３０に連結した机１の天板１１の左側端部下面を、前記下書棚６から右方向に突出した右天板受け体６４の右側端部上面に載置し、天板支持用螺孔１１１と天板連結用挿通孔６４４を一致させ、連結ネジ６４３で、机１の天板１１と下書棚６の右天板受け体６４を連結する。
【００４０】
この時、机１，１は書棚部６０の左右側に位置しているので、左右の使用者の使用可能スペースを公平にするため、下書棚６の下書棚上背板６６は、左側端部に形成された下書棚上背板連結孔６６１位置に取り付けられ、上書棚７の上書棚上背板７０２は左上書棚上背板連結孔７２７の位置に取り付けられ、下書棚下背板６７は、右側端部に形成された下書棚下背板連結孔６７１の位置に取り付けられ、上書棚７の上書棚下背板７０１は右上書棚下背板右連結孔７１６の位置に取り付けられる（図１５に示す状態）。
【符号の説明】
【００４１】
１            机
１１          天板
１００        ユニットデスク
３、３        左右脚体
６            下書棚
６０          書棚部
６４、６４    左右天板受け体
６６          下書棚上背板
６７          下書棚下背板
７            上書棚
７１          右上書棚
７２          左上書棚
７０１        上書棚下背板
７０２        上書棚上背板
【図１】
2015223359.tif 000003
【図２】
2015223359.tif 000004
【図３】
2015223359.tif 000005
【図４】
2015223359.tif 000006
【図５】
2015223359.tif 000007
【図６】
2015223359.tif 000008
【図７】
2015223359.tif 000009
【図８】
2015223359.tif 000010
【図９】
2015223359.tif 000011
【図１０】
2015223359.tif 000012
【図１１】
2015223359.tif 000013
【図１２】
2015223359.tif 000014
【図１３】
2015223359.tif 000015
【図１４】
2015223359.tif 000016
【図１５】
2015223359.tif 000017